(57)【要約】【課題】従来、官帽を落としたり、何らかの拍子で帽章がものに当ったりした際に、帽章が回転等して正規の取付位置からずれることがあった。【解決手段】帽子本体と腰部と鍔部を有する帽子において、該帽子本体の前側中央部近傍に帽章を設け、該帽章の中央部に前記帽子本体に取付けるための締付部を有するマーク部材を設け、前記帽章の裏面の中央部上側及び前記帽子本体の前記帽章に対する位置に貼付手段を設けたことで、帽章の位置ズレを防止することができる。【選択図】図１
0003107164.tif 000002
【実用新案登録請求の範囲】
【請求項１】
帽子本体と腰部とを有し、該帽子本体に帽章を設け、該腰部に帯章を設けた帽子において、
該帽子本体の前側中央部に帽章を設け、
該帽章の中央部に前記帽子本体に取付けるための締付部を有するマーク部材を設け、
前記帽章の裏面の前記締付部より上側及び前記帽子本体の前記帽章に対向する位置に貼付手段を設けたことを特徴とする帽子。
【請求項２】
前記帽子本体の内側上端部に通気用中敷を設け、
該通気用中敷は内側上端部周縁に沿う環状の骨格部材と該骨格部材の内側に設けられた通気部材を有し、
該通気部材をメッシュ状の生地で形成し、
前記骨格部材を変形可能な材質で形成し、
前記通気部材と前記骨格部材とを連結するための取付部材を設けた請求項１に記載の帽子。
【請求項３】
前記通気部材を前記骨格部材から取外すことができる請求項２に記載の帽子。
【考案の詳細な説明】
【技術分野】
【０００１】
本考案は、帽章及び帯章を取付けた帽子に関する。
【背景技術】
【０００２】
警察官、自衛官、消防官などが着用する帽子（以下「官帽」という。）には、官帽の前側に帽章が設けられており、また、官帽の腰部には帯章が設けられている。この帯章は、昇任するたびに変わる、つまり、1本の階級線が２本の階級線になったり、色が変わったりする。
【０００３】
このように、帯章は昇任するごとに変わるが、この変更された帯章が設けられた官帽自体が昇任する度に支給されるわけではない。つまり、昇任した場合は、昇任後の帯章のみが支給されるだけで、自ら帯章を取り替える必要があった。この帯章を取り替える作業を低減するための考案は、既に考えられている。
【０００４】
また、この帯章を取り替える際に、前記帽章を取外さなければならないので、この帽章は帽子本体と脱着自在になるようにネジで取付られている（例えば、特許文献１参照。）。
【特許文献１】特開平１１−３３５９１８号公報
【考案の開示】
【考案が解決しようとする課題】
【０００５】
しかしながら、官帽を落としたり、何らかの拍子で帽章が物に当ったりした際に、帽章が回転等して正規の取付位置からずれることがあった。また、官帽を落とした際に、官帽の内側の通気用中敷に汚れが付着することが多かった。
【０００６】
本願考案は係る問題点に鑑み、官帽の帽章が回転せず、官帽の内側の通気用中敷に付着した汚れを容易に洗えることで、気持ち良く被ることが出来る官帽を提供することを目的としている。
【課題を解決するための手段】
【０００７】
上記課題を解決するため、本願考案の帽子は、帽子本体と腰部とを有し、該帽子本体に帽章を設け、該腰部に帯章を設けた帽子において、該帽子本体の前側中央部に帽章を設け、該帽章の中央部に前記帽子本体に取付けるための締付部を有するマーク部材を設け、前記帽章の裏面の前記締付部より上側及び前記帽子本体の前記帽章に対向する位置に貼付手段を設けたこと。このような構成により、帽章が帽子本体に対して確実に固定されるのと共に、帯章を取り替える際に、帽章を容易に取外すことができ、帯章も容易に取り替えることができる。
【０００８】
また、前記帽子本体の内側上端部に通気用中敷を設け、該通気用中敷は通気部材と骨格部材とを有し、該通気部材をメッシュ状の生地で形成し、前記骨格部材を変形可能な材質で形成し、前記通気部材と前記骨格部材とを連結するための取付部材を設けた。このような構成により、前記骨格部材を変形させて前記通気用中敷を官帽から容易に取外しまたは取り付けすることができる。
【０００９】
また、前記通気部材を前記骨格部材から取外すことができるようにすることで、前記通気部材だけを洗濯機などで洗うことができる。
【考案の効果】
【００１０】
本願考案の帽子の帽章及び帯章を容易に取付け、取外しすることができると共に、帽章が一度固定されるとズレたり、回転したりすることがなくなる。また、通気用中敷を設けることで、帽子本体の内側の通気性を向上させることができ、頭部の蒸れを防ぐことができるのと共に通気部材を取外して洗うことができる。
【考案を実施するための最良の形態】
【００１１】
本願考案の一実施形態を、図面を参照しつつ説明する。
【００１２】
図１は、本願考案の官帽の構成を示す分解斜視図である。
【００１３】
図１に示すように、官帽１は帽子本体２、腰部３、鍔部４を有する構成になっており、帽子本体２の上側を円形状に形成し、この帽子本体２の上側の直径を、円環状に形成された腰部３の直径より大きくなるように形成し、円盤状に形成された通気用中敷６を帽子本体２の上側に取り付けられるようになっている。また、帽子本体２の前側を帽章５などのマーク類が取り付けられるように、後側に比べて広くなっていると共に、帽子本体２の前側を腰部３に対して前側に倒れ込んだ状態に形成されている。そして、帽子本体２の前側の裏側を樹脂などの型紙で支えることで、帽章５などのマーク類を取り付けても曲がったり、皺になったりしないように形成されている。また、帽子本体２の後側には、メッシュ状の生地であるラッセル生地で形成され、通気性がよくなるように構成されている。そして、帽子本体２の下側の全周に連なって、ほぼ一定の幅を持ち環状に形成された腰部３が設けられている。この腰部３も帽子本体２と同様に、曲がったり、皺になったりしないように、樹脂などの型紙が裏側を支えるように形成されている。また、腰部３の前側の下側には、腰部３に連なって略三日月状の鍔部４が設けられている。この略三日月状の鍔部４は、耐久性を持たせるために３〜５ｍｍ程度の厚さに形成されているのと共に、腰部３に対して垂直前側より下側に傾いて形成され、官帽１を被った際に日差しが直接目に差し込まないようになっている。そして、この腰部３の外側には全周に亘って覆うように帯章７が設けられている。この帯章７はほとんど伸縮性のない生地部８と、伸縮性のある弾性部９とを有する構成になっており、昇任するごとに変わる帯章７を、弾性部９が伸縮することで容易に付け替えることができるようになっている。また、腰部３の前半分側に帯状のバンド１０を設け、帯章７の左右両側にはバンド１０の耳ボタン１１を取り付けるための孔が設けられている。
【００１４】
図２は、本願考案の官帽の帽章の構成を示す図であり、（ａ）は正面図、（ｂ）は側面図、（ｃ）は平面図である。
【００１５】
図２に示すように、帽章５は基部材１２とマーク部材１３を有しており、基部材１２は桃の縦断面状に形成され、この内部には折れ曲がらないように型紙などが設けられている。この基部材１２の中央部にはマーク部材１３、周縁部には意匠部材１４が設けられていおり、マーク部材１３は、基部材１２に設けられた孔にマーク部材１３に設けられた締付部１５で貫通してナット１６で基部材１２に固定されている。また、基部材１２に対してマーク部材１３と反対側（帽章５の裏面）の締付部１５の上側には、水平方向にマジックテープ（登録商標）１７が帯状に設けられており、帽章５を帽子本体２に取付けた際に帽章５の回転を防止することができる（図１参照）。そして、マジックテープ（登録商標）１７の基部材１２への取付は糸で直接縫い付けて固定されている。この場合、基部材１２上の見栄えが悪くならないように、糸の色や縫い付け位置は基部材１２に対して基部材１２の意匠部材１４に糸が係らないように設定されている。また、マーク部材１３の基部材１２に対する回転を防止するために、基部材１２の表面にマーク部材１３が食い込むように、マーク部材１３の基部材１２の表面と接する部分はエッジ状の尖った状態に形成され、一方、基部材１２のマーク部材１３側の表面は、弾力性を有する生地で形成されている。このような構成により、帽章５に取付けられたマーク部材１３の回転を防止することができ、帽子本体２、帽章５、マーク部材１３が締付部１５を軸に回転することなく固定することができる。ここで、帽章２は意匠上官帽１の前側中心及び上下方向の中心近傍に取付ける必要があり、昇任する度に取り替える帯章７の上側に締付部１５がくるようにするのが好ましい。そこで、マジックテープ（登録商標）１７［マジックテープ（登録商標）１８も同様］は、昇任する度に取り替える帯章７に影響されない位置である締付部１５の上側に位置するのが好ましく（図１参照）、前側に倒れ込んだ帽子本体２にもマジックテープ（登録商標）１７、１８が貼付くことができるように設けられている。また、上述した水平方向に取付けるだけでなく、締付部１５の上側であれば、任意の場所に複数個あってもよい。そして、マジックテープ（登録商標）１７、１８は接着剤などで帽章５の裏面及び帽子本体２に取付けてもよい。また、帽子本体２の前側中心に位置する前側中心部１９に、帽章５を取付けるための帽章取付孔２０が前後方向に貫通するように設けられており、帽章５の中央に取付けられた締付部１５を帽章取付孔２０に挿入し、官帽１の内側からナット２１で固定できるようになっている。この帽章取付孔２０を有することで、帽子本体２に対する帽章５の上下左右方向の動きが規制される。また、この帽章取付孔２０の上側に貼付手段であるマジックテープ（登録商標）１８が設けられており、帽章５に取付けられた貼付手段であるマジックテープ（登録商標）１７と貼付くことで、締付部５ｆを軸に回転することを防止することができるように構成されている（図１参照）。
【００１６】
次に官帽１の内側の通気性を向上させるための通気用中敷６について説明する。
【００１７】
図３は、本考案の官帽の通気用中敷６の構成を示す図であり、（ａ）は平面図、（ｂ）はＡ−Ａ断面矢視図である。
【００１８】
図３に示すように、通気用中敷６は骨格部材２２と通気部材２３とを有している。この通気用中敷６は前記のように帽子本体２の上側にはめ込むことができるように（図４参照）、骨格部材２２を円環状で変形可能な材質（樹脂、ワイヤー等）を用いて形成されている。この骨格部材２２を変形可能に形成することで、骨格部材２２の直径より小さい官帽１の開口部２４から通気用中敷６を変形させて帽子本体２の上側に容易に取付け及び取外すことができるようになっている。そして、円形状をした通気部材２３は、通気性をよくするために、メッシュ状の生地であるラッセル地で形成されている。このラッセル地は、網目状に編まれた上下２層の上網目部２５及び下網目部２６を有し、この上網目部２５と下網目部２６との間を複数の糸状の繊維２７で連結され、上網目部２５と下網目部２６との間に一定の間隙ができるように形成されている。また、通気部材２３は骨格部材２２に対して、上下方向の移動及び回転ができるように、骨格部材２２の内径より小さく形成され、取付部材２８で連結されている。そして、官帽１を被った際に頭部２９の形状に通気部材２３が沿うように通気部材２３は繊維状のもので構成されている。このように通気部材２３が構成されることで、官帽１内の帽子本体２と頭部との間で空間ができ、空気の流れを生じさせることができる（図４参照）。また、取付部材２８を通気部材２３と骨格部材２２との間に渡されており、通気部材２３の取付けるときの自由度が増し、寸法の多少異なる官帽１に対しても同一の通気部材２３を適応させることができるので、多品種生産によるコストアップを低減させることができる。また、通気用中敷６は、骨格部材２２の一部分に接合部３１を有しており、通気部材２３が汗などにより汚れた場合、接合部３１を分離して通気部材２３を取り出して、通気部材２３だけを洗濯機などで洗うことができるようになっている。この接合部３１は、骨格部材２２の内側に湾曲して形成された骨格空間部３２に、棒状の接合材３３を挿入して骨格部材２２を円形状に結合できるようになっている。
【００１９】
図４は、本願考案の官帽を被った場合の官帽の内側を流れる空気の流れを示した図であり、（ａ）は全体図、（ｂ）はＭ部拡大図である。
【００２０】
図４に示すように、官帽１の内部に空気の流れ（図中矢印参照）を生じさせるため、頭部２９と帽子本体２との間に空間ができるように構成されている。ここで、空間が最も狭くなるＭ部においては、官帽１を被った際に、帽子本体２と頭部２９との間で圧迫されないように糸状の繊維２７は強度を有しており、帽子本体２と頭部２９との間に空間ができるようになっている。この空間により、帽子本体２の後部に設けられた帽子通気部３０から入ってきた空気は、通気部材２３と帽子本体２との間、及び通気部材２３と頭部２９との間を通過し、空間の最も狭くなっているＭ部では、上網目部２５と下網目部２６との間を通過して官帽１の内側全体に行きわたることができ、頭部２９の蒸れを防止することができるようになっている。
【００２１】
図５は、本願考案の他の実施の形態の通気用中敷の図であり、（ａ）は斜視図、（ｂ）は取付部材の断面拡大図である。
【００２２】
図５に示すように、骨格部材２２から通気部材２３をさらに容易に取外すために、取付部材３６につなぎ目３３を設け、このつなぎ目３３から各々の対向する取付部材３６の面に、貼付手段であるマジックテープ（登録商標）３４、３５を設けることで、取付部材３６を上下方向に分離することができる。また、骨格部材２２に接合部３１を設ける必要がなく、骨格部材２２を一体成形することが可能となる。
【００２３】
ここで、帯章７の付け替えるときの手順について説明すると、まず官帽１の内側に取付られているナット２１を取外し、帽章５を前側に引張ることで、帽章５が帽子本体２に取付けられたマジックテープ（登録商標）１８から外れる（図１参照）。そして、バンド１０の両端部近傍に取付られている官帽１の内部で耳ボタン１１の裏側にあるナット（図示せず）を緩め、バンド１０を取外す。そして、帯章７を上方または下方に取外し、新しい帯章を取付ける。この後は、前記取外し手順とは逆の手順で行えば、新たな帯章を取付けた官帽が完成する。
【００２４】
このような構成により、帽章５が回転等して不格好になることが無くなると共に、官帽１の中に空気を通すことが出来るので、暑い夏の日などに警備をする際、蒸れることを緩和し、気持ちよく被れる官帽１が形成される。
【産業上の利用可能性】
【００２５】
帽章及び帯章を有する帽子に利用することができる。
【図面の簡単な説明】
【００２６】
【図１】本願考案の官帽の構成を示す分解斜視図である。
【図２】本願考案の官帽の帽章の構成を示す図であり、（ａ）は正面図、（ｂ）は側面図、（ｃ）は平面図ある。
【図３】本考案の官帽の通気用中敷６の構成を示す図であり、（ａ）は平面図、（ｂ）はＡ−Ａ断面矢視図である。
【図４】本願考案の官帽を被った場合の官帽の内側を流れる空気の流れを示した図であり、（ａ）は全体図、（ｂ）はＭ部拡大図である。
【図５】本願考案の他の実施の形態の通気用中敷の図であり、（ａ）は斜視図、（ｂ）は取付部材の断面拡大図である。
【符号の説明】
【００２７】
１  官帽
２  帽子本体
３  腰部
４  鍔部
５  帽章
６  通気用中敷
７  帽章
１７、１８  マジックテープ（登録商標）
２３  通気部材
【図１】
0003107164.tif 000003
【図２】
0003107164.tif 000004
【図３】
0003107164.tif 000005
【図４】
0003107164.tif 000006
【図５】
0003107164.tif 000007